(57)【要約】【課題】施工時において、モニター増設親機の手動による終端設定作業を省略する。【解決手段】カメラ付玄関子機をモニター親機、複数個のモニター増設親機３００、４００に順次直列接続し、カメラ付玄関子機からモニター親機、モニター増設親機の何れかを呼び出し、呼び出された側でカメラ付玄関子機からの映像を見ながらカメラ付玄関子機と通話のできるテレビインターホン装置であって、モニター増設親機は、直列接続された各モニター増設親機に設けられる終端回路３１０、４１０と、自機に流れる直流電流を検出し自機が最終端であるかどうかを判断し、判断に応じて終端回路を入切するフォトカプラ３０２、４０２とを有する。【選択図】図４
2004120305.tif 000002
【特許請求の範囲】
【請求項１】
カメラ付玄関子機（１００）をモニター親機（２００）、複数個のモニター増設親機（３００、４００）に順次直列接続し、前記カメラ付玄関子機から前記モニター親機、前記モニター増設親機の何れかを呼び出し、呼び出された側で前記カメラ付玄関子機からの映像を見ながら前記カメラ付玄関子機と通話のできるテレビインターホン装置であって、
前記モニター増設親機は、直列接続された各モニター増設親機に設けられる終端回路（３１０、４１０）と、自機に流れる直流電流を検出し自機が最終端であるかどうかを判断し、前記判断に応じて前記終端回路を入切するフォトカプラ（３０２、４０２）とを有することを特徴とするテレビインターホン装置。
【請求項２】
前記フォトカプラの発光部（３０２ａ、４０２ａ）と並列に、音声や映像信号を次段のモニター増設親機へ通過させる信号パス用コンデンサ（３０１、４０１）を接続することを特徴とする請求項１記載のテレビインターホン装置。
【発明の詳細な説明】
【０００１】
【発明の属する技術分野】
本発明は、テレビインターホン装置に係わり、特に、モニター増設親機の終端回路の入切を自動的に行なうことができるテレビインターホン装置に関する。
【０００２】
【従来の技術】
従来から、この種のテレビインターホン装置として、カメラ付玄関子機をモニター親機、モニター増設親機に順次直列接続し、カメラ付玄関子機からモニター親機、モニター増設親機の何れかを呼び出し、呼び出された側でカメラ付玄関子機からの映像を見ながらカメラ付玄関子機と通話できるような構成のものが知られている（例えば、特許文献１参照）。
【０００３】
【特許文献１】特開２００１−２３７９７４号公報（段落番号０００２〜００１７、図２）
【０００４】
【発明が解決しようとする課題】
ところで、このような構成のテレビインターホン装置においては、モニター親機がシステムの最終端機器となるため、施工時において、モニター親機の終端回路を切り離しかつモニター増設親機の終端回路を接続してＦＭ変調された映像信号のマッチングをとる必要がある。また、上記のモニター増設親機の下流側に他のモニター増設親機を直列接続した場合においては、下流側のモニター増設親機がシステムの最終端機器となるため、上流側のモニター増設親機の終端回路を切り離しかつ下流側のモニター増設親機の終端回路を接続する必要がある。従って、このような構成のテレビインターホン装置においては、モニター親機に複数台のモニター増設親機が接続されている場合は、テレビインターホン装置の施工時において、何れのモニター増設親機が最終端機器であるかどうかを判断し、当該判断に応じて各モニター増設親機の終端回路を入切しなければならないという難点があった。また、終端回路の入切作業が手動により行なわれることから、作業者が終端回路の入切作業を誤ったり、また入切作業を忘れたりする等の難点もあった。
【０００５】
本発明は、このような難点を解決するためになされたもので、モニター増設親機自身に流れる直流電流をフォトカプラで検出することにより、モニター増設親機の終端回路の入切を自動的に行うことができるテレビインターホン装置を提供することを目的とする。
【０００６】
【課題を解決するための手段】
上記の目的を達成するため、本発明のテレビインターホン装置は、カメラ付玄関子機をモニター親機、複数個のモニター増設親機に順次直列接続し、カメラ付玄関子機からモニター親機、モニター増設親機の何れかを呼び出し、呼び出された側でカメラ付玄関子機からの映像を見ながらカメラ付玄関子機と通話のできるテレビインターホン装置であって、モニター増設親機は、直列接続された各モニター増設親機に設けられる終端回路と、自機に流れる直流電流を検出し自機が最終端であるかどうかを判断し、当該判断に応じて終端回路を入切するフォトカプラとを有するものである。
【０００７】
また、本発明のテレビインターホン装置におけるモニター増設親機のフォトカプラの発光部には、当該発光部と並列に、音声や映像信号を次段のモニター増設親機へ通過させる信号パス用コンデンサが接続されている。
【０００８】
本発明のテレビインターホン装置によれば、モニター増設親機自身に流れる直流電流をフォトカプラで検出することにより、モニター増設親機の終端回路の入切を自動的に行うことができ、ひいては、手動によるモニター増設親機の終端設定作業を省略することができ、また、終端設定の過誤や終端設定のし忘れも防止することができる。
【０００９】
【発明の実施の形態】
以下、本発明のテレビインターホン装置の好ましい実施の形態例について、図面を参照して詳述する。ここで、図１は、本発明のテレビインターホン装置のシステム構成図、図２は、本発明のテレビインターホン装置におけるカメラ付玄関子機のブロック図、図３は、本発明のテレビインターホン装置におけるモニター親機のブロック図、図４は、本発明のテレビインターホン装置における第１、第２のモニター増設親機のブロック図を示している。
【００１０】
図１において、本発明のテレビインターホン装置は、屋外に設置されるカメラ付玄関子機１００と、屋内に設置されるモニター親機２００および第１、第２のモニター増設親機３００、４００とを備えている。ここで、モニター親機２００は、第１の伝送路Ｌ１を介してカメラ付玄関子機１００に、第２の伝送路Ｌ２を介して第１のモニター増設親機３００にそれぞれ接続され、この第１のモニター増設親機３００には、第３の伝送路Ｌ３を介して第２のモニター増設親機４００が接続されている。
【００１１】
カメラ付玄関子機１００は、図２に示すように、カメラ回路１０１、ＦＭ変調回路１０２、不平衡ー平衡変換回路１０３、ＬＰＦ（ローパスフィルター）１０４、起動電圧検出回路１０５、呼出ボタン１０６、スピーカ１０７、スピーカアンプ１０８、マイク１０９（以下「子機マイク１０９」という。）、マイクアンプ１１０、２線４線変換回路１１１（以下「子機２線４線変換回路１１１」という。）および出力端子Ｔ１（以下「子機出力端子Ｔ１」という。）を備えている。ここで、カメラ回路１０１は、ＦＭ変調回路１０２を介して不平衡−平衡変換回路１０３に接続され、この不平衡−平衡変換回路１０３には子機出力端子Ｔ１を介して第１の伝送路Ｌ１が接続されている。また、子機出力端子Ｔ１は、ＬＰＦ１０４を介して、起動電圧検出回路１０５、呼出ボタン１０６および子機２線４線変換回路１１１に接続され、起動電圧検出回路１０５にはカメラ回路１０１、ＦＭ変調回路１０２、スピーカアンプ１０８およびマイクアンプ１１０が接続されている。さらに、子機２線４線変換回路１１１は、スピーカアンプ１０８およびマイクアンプ１１０に接続され、スピーカアンプ１０８にはスピーカ１０７が、マイクアンプ１１０には子機マイク１０９がそれぞれ接続されている。
【００１２】
モニター親機２００は、図３に示すように、映像増幅回路２０１、平衡ー不平衡変換回路２０２（以下「親機平衡ー不平衡変換回路２０２」という。）、ＦＭ復調回路２０３（以下「親機ＦＭ復調回路２０３」という。）、ビデオアンプ２０４（以下「親機ビデオアンプ２０４」という。）、ＣＲＴユニット２０５（以下「親機ＣＲＴユニット２０５」という。）、出画制御回路２０６（以下「親機出画制御回路２０６」という。）、音声信号分岐回路２０７、２線４線変換回路２０８（以下「親機２線４線変換回路２０８」という。）、データ送信回路２０９、玄関子機起動電源送出回路２１０、受話アンプ２１１（以下「親機受話アンプ２１１」という。）、送話アンプ２１２（以下「親機送話アンプ２１２」という。）、レシーバ２１３ａ（以下「親機レシーバ２１３ａ」という。）とマイク２１３ｂ（以下「親機マイク２１３ｂ」という。）から構成される送受話器２１３（以下「親機送受話器２１３」という。）、呼出検出回路２１４、フックスイッチ２１５（以下「親機フックスイッチ２１５」という。）、ＣＰＵ２１６（以下「親機ＣＰＵ２１６」という。）、呼出音アンプ２１７（以下「親機呼出音アンプ２１７」という。）、拡声スピーカ２１８（以下「親機拡声スピーカ２１８」という。）、データ送受信回路２１９（以下「親機データ送受信回路２１９」という。）、電源回路２２０（以下「親機電源回路２２０」という。）、入力端子Ｔ２ａ（以下「親機入力端子Ｔ２ａ」という。）および出力端子Ｔ２ｂ（以下「親機出力端子Ｔ２ｂ」という。）を備えている。ここで、親機入力端子Ｔ２ａは、第１の伝送路Ｌ１、親機平衡ー不平衡変換回路２０２、音声信号分岐回路２０７、データ送信回路２０９、玄関子機起動電源送出回路２１０および呼出検出回路２１４に接続され、親機平衡ー不平衡変換回路２０２には映像増幅回路２０１および親機ＦＭ復調回路２０３が接続され、この映像増幅回路２０１には親機出力端子Ｔ２ｂを介して第２の伝送路Ｌ２が、親機ＦＭ復調回路２０３には親機ビデオアンプ２０４を介して親機ＣＲＴユニット２０５がそれぞれ接続されている。また、音声信号分岐回路２０７には親機２線４線変換回路２０８を介して親機受話アンプ２１１および親機送話アンプ２１２が接続され、この親機受話アンプ２１１には親機送受話器２１３を構成する親機レシーバ２１３ａが、親機送話アンプ２１２には親機送受話器２１３を構成する親機マイク２１３ｂがそれぞれ接続されている。さらに、親機ＣＰＵ２１６は、親機出画制御回路２０６、データ送信回路２０９、玄関子機起動電源送出回路２１０、親機受話アンプ２１１、親機送話アンプ２１２、呼出検出回路２１４、親機フックスイッチ２１５、親機呼出音アンプ２１７および親機データ送受信回路２１９が接続され、親機出画制御回路２０６には映像増幅回路２０１、親機ＦＭ復調回路２０３、親機ビデオアンプ２０４および親機ＣＲＴユニット２０５が、親機呼出音アンプ２１７には親機拡声スピーカ２１８がそれぞれ接続されている。さらにまた、親機データ送受信回路２１９および親機電源回路２２０は親機出力端子Ｔ２ｂを介して第２の伝送路Ｌ２に接続されている。
【００１３】
第１のモニター増設親機３００は、図４に示すように、信号パス用コンデンサ３０１（以下「第１の増設親機信号パス用コンデンサ３０１」という。）、発光部３０２ａ（以下「第１の増設親機発光部３０２ａ」という。）と受光部３０２ｂ（以下「第１の増設親機受光部３０２ｂ」という。）で構成されるフォトカプラ３０２（以下「第１の増設親機フォトカプラ３０２」という。）、平衡ー不平衡変換回路３０３（以下「第１の増設親機平衡ー不平衡変換回路３０３」という。）、ＦＭ復調回路３０４（以下「第１の増設親機ＦＭ復調回路３０４」という。）、ビデオアンプ３０５（以下「第１の増設親機ビデオアンプ３０５」という。）、ＣＲＴユニット３０６（以下「第１の増設親機ＣＲＴユニット３０６」という。）、出画制御回路３０７（以下「第１の増設親機出画制御回路３０７」という。）、データ送受信回路３０８（以下「第１の増設親機データ送受信回路３０８」という。）、２線４線変換回路３０９（以下「第１の増設親機２線４線変換回路３０９」という。）、終端回路３１０（以下「第１の増設親機終端回路３１０」という。）、受話アンプ３１１（以下「第１の増設親機受話アンプ３１１」という。）、送話アンプ３１２（以下「第１の増設親機送話アンプ３１２」という。）、レシーバ３１３ａ（以下「第１の増設親機レシーバ３１３ａ」という。）とマイク３１３ｂ（以下「第１の増設親機マイク３１３ｂ」という。）から構成される送受話器３１３（以下「第１の増設親機送受話器３１３」という。）、フックスイッチ３１４（以下「第１の増設親機フックスイッチ３１４」という。）と、ＣＰＵ３１５（以下「第１の増設親機ＣＰＵ３１５」という。）、呼出音アンプ３１６（以下「第１の増設親機呼出音アンプ３１６」という。）、拡声スピーカ３１７（以下「第１の増設親機拡声スピーカ３１７」という。）、電源回路３１８（以下「第１の増設親機電源回路３１８」という。）、入力端子Ｔ３ａ（以下「第１の増設親機入力端子Ｔ３ａ」という。）、出力端子Ｔ３ｂ（以下「第１の増設親機出力端子Ｔ３ｂ」という。）および保護抵抗Ｒ３（以下「第１の増設親機保護抵抗Ｒ３」という。）を備えている。ここで、第１の増設親機入力端子Ｔ３ａは、第２の伝送路Ｌ２、第１の増設親機保護抵抗Ｒ３、第１の増設親機信号パス用コンデンサ３０１、第１の増設親機発光部３０２ａおよび第１の増設親機受光部３０２ｂ、第１の増設親機平衡ー不平衡変換回路３０３、第１の増設親機データ送受信回路３０８および第１の増設親機２線４線変換回路３０９に接続され、第１の増設親機信号パス用コンデンサ３０１および第１の増設親機発光部３０２ａには第１の増設親機出力端子Ｔ３ｂを介して第３の伝送路Ｌ３が、第１の増設親機受光部３０２ｂには第１の増設親機終端回路３１０が、第１の増設親機平衡ー不平衡変換回路３０３には第１の増設親機ＦＭ復調回路３０４および第１の増設親機ビデオアンプ３０５を介して第１の増設親機ＣＲＴユニット３０６が、第１の増設親機２線４線変換回路３０９には第１の増設親機受話アンプ３１１および第１の増設親機送話アンプ３１２がそれぞれ接続されている。さらに、第１の増設親機ＣＰＵ３１５は、第１の増設親機出画制御回路３０７、第１の増設親機データ送受信回路３０８、第１の増設親機受話アンプ３１１、第１の増設親機送話アンプ３１２、第１の増設親機フックスイッチ３１４および第１の増設親機呼出音アンプ３１６に接続され、第１の増設親機出画制御回路３０７には第１の増設親機ＦＭ復調回路３０４、第１の増設親機ビデオアンプ３０５および第１の増設親機ＣＲＴユニット３０６が、第１の増設親機受話アンプ３１１には第１の増設親機送受話器３１３を構成する第１の増設親機レシーバ３１３ａが、第１の増設親機送話アンプ３１２には第１の増設親機送受話器３１３を構成する第１の増設親機マイク３１３ｂが、第１の増設親機呼出音アンプ３１６には第１の増設親機拡声スピーカ３１７がそれぞれ接続されている。
【００１４】
第２のモニター増設親機４００も第１のモニター増設親機３００と同様に、信号パス用コンデンサ４０１（以下「第２の増設親機信号パス用コンデンサ４０１」という。）、発光部４０２ａ（以下「第２の増設親機発光部４０２ａ」という。）と受光部４０２ｂ（以下「第２の増設親機受光部４０２ｂ」という。）で構成されるフォトカプラ４０２（以下「第２の増設親機フォトカプラ４０２」という。）、平衡ー不平衡変換回路４０３（以下「第２の増設親機平衡ー不平衡変換回路４０３」という。）、ＦＭ復調回路４０４（以下「第２の増設親機ＦＭ復調回路４０４」という。）、ビデオアンプ４０５（以下「第２の増設親機ビデオアンプ４０５」という。）、ＣＲＴユニット４０６（以下「第２の増設親機ＣＲＴユニット４０６」という。）、出画制御回路４０７（以下「第２の増設親機出画制御回路４０７」という。）、データ送受信回路４０８（以下「第２の増設親機データ送受信回路４０８」という。）、２線４線変換回路４０９（以下「第２の増設親機２線４線変換回路４０９」という。）、終端回路４１０（以下「第２の増設親機終端回路４１０」という。）、受話アンプ４１１（以下「第２の増設親機受話アンプ４１１」という。）、送話アンプ４１２（以下「第２の増設親機送話アンプ４１２」という。）、レシーバ４１３ａ（以下「第２の増設親機レシーバ４１３ａ」という。）とマイク４１３ｂ（以下「第２の増設親機マイク４１３ｂ」という。）から構成される送受話器４１３（以下「第２の増設親機送受話器４１３」という。）、フックスイッチ４１４（以下「第２の増設親機フックスイッチ４１４」という。）と、ＣＰＵ４１５（以下「第２の増設親機ＣＰＵ４１５」という。）、呼出音アンプ４１６（以下「第２の増設親機呼出音アンプ４１６」という。）、拡声スピーカ４１７（以下「第２の増設親機拡声スピーカ４１７」という。）、電源回路４１８（以下「第２の増設親機電源回路４１８」という。）、入力端子Ｔ４ａ（以下「第２の増設親機入力端子Ｔ４ａ」という。）、出力端子Ｔ４ｂ（以下「第２の増設親機出力端子Ｔ４ｂ」という。）および保護抵抗Ｒ４（以下「第２の増設親機保護抵抗Ｒ４」という。）を備えている。ここで、第２の増設親機入力端子Ｔ４ａは、第３の伝送路Ｌ３、第２の増設親機保護抵抗Ｒ４、第２の増設親機信号パス用コンデンサ４０１、第２の増設親機発光部４０２ａおよび第２の増設親機受光部４０２ｂ、第２の増設親機平衡ー不平衡変換回路４０３、第２の増設親機データ送受信回路４０８および第２の増設親機２線４線変換回路４０９に接続され、第２の増設親機信号パス用コンデンサ４０１および第２の増設親機発光部４０２ａには第２の増設親機出力端子Ｔ４ｂが、第２の増設親機受光部４０２ｂには第２の増設親機終端回路４１０が、第２の増設親機平衡ー不平衡変換回路４０３には第２の増設親機ＦＭ復調回路４０４および第２の増設親機ビデオアンプ４０５を介して第２の増設親機ＣＲＴユニット４０６が、第２の増設親機２線４線変換回路４０９には第２の増設親機受話アンプ４１１および第２の増設親機送話アンプ４１２がそれぞれ接続されている。さらに、第２の増設親機ＣＰＵ４１５は、第２の増設親機出画制御回路４０７、第２の増設親機データ送受信回路４０８、第２の増設親機フックスイッチ４１４、第２の増設親機受話アンプ４１１、第２の増設親機送話アンプ４１２および第２の増設親機呼出音アンプ４１６に接続され、第２の増設親機出画制御回路４０７には第２の増設親機ＦＭ復調回路４０４、第２の増設親機ビデオアンプ４０５および第２の増設親機ＣＲＴユニット４０６が、第２の増設親機受話アンプ４１１には第２の増設親機送受話器４１３を構成する第２の増設親機レシーバ４１３ａが、第２の増設親機送話アンプ４１２には第２の増設親機送受話器４１３を構成する第２の増設親機マイク４１３ｂが、第２の増設親機呼出音アンプ４１６には第２の増設親機拡声スピーカ４１７がそれぞれ接続されている。
【００１５】
次に、このように構成された本発明のテレビインターホン装置の動作について説明する。
【００１６】
先ず、第１のモニター増設親機３００に第３の伝送路Ｌ３を介して第２のモニター増設親機４００を接続し、第１、第２の増設親機保護抵抗Ｒ３、Ｒ４をそれぞれ図４に示すように接地した場合においては、モニター親機２００の親機電源回路２２０から第２の伝送路Ｌ２に重畳される直流電流が第１の増設親機発光部３０２ａで検出され、これにより、第１の増設親機受光部３０２ｂが動作し第１の増設親機終端回路３１０が自動的に切り離される。また、第２のモニター増設親機４００の第２の増設親機出力端子Ｔ４ｂは開放状態にあることから、すなわち、第２のモニター増設親機４００自身が最終端機器となることから、第３の伝送路Ｌ３に重畳される直流電流は第２の増設親機保護抵抗Ｒ４を介して大地へ流れる。これにより、第２の増設親機受光部４０２ｂが動作せず、ひいては、第２の増設親機終端回路４１０は切り離されることなく終端設定された状態が維持される。
【００１７】
以上により、第１、第２のモニター増設親機３００、４００の第１、第２の増設親機終端回路３１０、４１０の入切がそれぞれ自動的に設定される。
【００１８】
このような状態において、先ず、来訪者がカメラ付玄関子機１００の呼出ボタン１０６を押下すると、呼出信号が、ＬＰＦ１０４および第１の伝送路Ｌ１を経由して、モニター親機２００の呼出検出回路２１４へ伝送される。そして、かかる呼出信号が呼出検出回路２１４で検出されると、親機ＣＰＵ２１６の制御により、玄関子機起動電源送出回路２１０、親機出画制御回路２０６および親機呼出音アンプ２１７がそれぞれ駆動される。そして、玄関子機起動電源送出回路２１０が駆動されると、親機電源回路２２０から第１の伝送路Ｌ１を経由してカメラ付玄関子機１００へ動作電源が供給され、かかる動作電源が起動電圧検出回路１０５で検出されると、カメラ回路１０１、ＦＭ変調回路１０２、スピーカアンプ１０８およびマイクアンプ１１０の各部へ電源が供給される。また、親機出画制御回路２０６が駆動されると、映像増幅回路２０１、親機ＦＭ復調回路２０３、親機ビデオアンプ２０４および親機ＣＲＴユニット２０５が能動状態に制御される。さらに、親機呼出音アンプ２１７が駆動されると、親機ＣＰＵ２１６から出力する呼出信号が増幅され、親機拡声スピーカ２１８から呼出音が鳴動し、居住者に対して呼出報知が行なわれる。
【００１９】
また、これと同時に、親機ＣＰＵ２１６から第１、第２の増設親機呼出信号が出力され、第１の増設親機呼出信号は、親機データ送受信回路２１９、第２の伝送路Ｌ２および第１の増設親機データ送受信回路３０８を経由して第１の増設親機ＣＰＵ３１５へ、第２の増設親機呼出信号は、親機データ送受信回路２１９、第２の伝送路Ｌ２、第１の増設親機信号パス用コンデンサ３０１、第３の伝送路Ｌ３および第２の増設親機データ送受信回路４０８を経由して第２の増設親機ＣＰＵ４１５へそれぞれ伝送される。以上の第１、第２の増設親機呼出信号がそれぞれ第１、第２の増設親機ＣＰＵ３１５、４１５で検出されると、それぞれ第１、第２の増設親機ＣＰＵ３１５、４１５の制御により、第１、第２の増設親機出画制御回路３０７、４０７および第１、第２の増設親機呼出音アンプ３１６、４１６が駆動される。そして、それぞれ第１、第２の増設親機出画制御回路３０７、４０７が駆動されると、第１、第２の増設親機ＦＭ復調回路３０４、４０４、第１、第２の増設親機ビデオアンプ３０５、４０５および第１、第２の増設親機ＣＲＴユニット３０６、４０６が能動状態に制御される。また、それぞれ第１、第２の増設親機呼出音アンプ３１６、４１６が駆動されると、第１、第２の増設親機ＣＰＵ３１５、４１５から出力する第１、第２の増設親機呼出信号が増幅され、第１、第２の増設親機拡声スピーカ３１７、４１７から呼出音が鳴動し、それぞれ居住者に対して呼出報知が行なわれる。
【００２０】
一方、カメラ回路１０１で撮像された来訪者の映像は、ＦＭ変調回路１０２においてＦＭ変調され、ＦＭ映像信号として不平衡−平衡変換回路１０３、第１の伝送路Ｌ１および親機平衡−不平衡変換回路２０２を経由して親機ＦＭ復調回路２０３へ、不平衡−平衡変換回路１０３、第１の伝送路Ｌ１、親機平衡−不平衡変換回路２０２、映像増幅回路２０１、第２の伝送路Ｌ２および第１の増設親機平衡−不平衡変換回路３０３を経由して第１の増設親機ＦＭ復調回路３０４へ、不平衡−平衡変換回路１０３、第１の伝送路Ｌ１、親機平衡−不平衡変換回路２０２、映像増幅回路２０１、第２の伝送路Ｌ２、第１の増設親機信号パス用コンデンサ３０１、第３の伝送路Ｌ３および第２の増設親機平衡−不平衡変換回路４０３を経由して第２の増設親機ＦＭ復調回路４０４へそれぞれ伝送される。かかるＦＭ映像信号は、親機ＦＭ復調回路２０３、第１、第２の増設親機ＦＭ復調回路３０４、４０４においてそれぞれ復調され、これにより、来訪者の映像が親機ＣＲＴユニット２０５、第１、第２の増設親機ＣＲＴユニット３０６、４０６にそれぞれ出画される。
【００２１】
ここで、居住者が、来訪者の映像を見ながら、第２の増設親機送受器４１３を取り上げて呼出応答すると、カメラ付玄関子機１００と第２のモニター増設親機４００間に通話路が形成され、第１の増設親機送受器３１３を取り上げて呼出応答すると、カメラ付玄関子機１００と第１のモニター増設親機３００間に通話路が形成され、また、親機送受器２１３を取り上げて呼出応答すると、カメラ付玄関子機１００とモニター親機２００間に通話路が形成さる。なお、居住者が通話を終え、親機送受器２１３、第１、第２の増設親機送受器３１３、４１３を下ろすと、親機ＣＲＴユニット２０５および第１、第２の増設親機ＣＲＴユニット３０６、４０６が非能動とされ、待受状態に戻る。
【００２２】
以上のように、本発明のテレビインターホン装置によれば、カメラ付玄関子機１００からモニター親機２００、第１、第２のモニター増設親機３００、４００の何れかを呼び出し、呼び出された側でカメラ付玄関子機１００からの映像を見ながらカメラ付玄関子機１００と通話することができる。
【００２３】
次に、第１のモニター増設親機３００に第２のモニター増設親機４００を接続しない場合は、第１のモニター増設親機３００の第１の増設親機出力端子Ｔ３ｂが開放状態にあるため、すなわち、第１のモニター増設親機３００自身が最終端機器となることから、第２の伝送路Ｌ２に重畳される直流電流は第１の増設親機保護抵抗Ｒ３を介して大地へ流れる。これにより、第１の増設親機受光部３０２ｂが動作せず、ひいては、第１の増設親機終端回路３１０は切り離されることなく終端設定された状態が維持される。
【００２４】
このような構成のテレビインターホン装置においても、前述と同様に、カメラ付玄関子機１００からモニター親機２００、第１のモニター増設親機３００の何れかを呼び出し、呼び出された側でカメラ付玄関子機１００からの映像を見ながらカメラ付玄関子機１００と通話することができる。
【００２５】
なお、前述の実施例においては、モニター親機に２台のモニター増設親機を直列接続した場合について説明しているが、システムの規模により、３台以上のモニター増設親機を直列接続してもよい。
【００２６】
【発明の効果】
以上の説明から明らかなように、本発明のテレビインターホン装置によれば、モニター増設親機自身に流れる直流電流をフォトカプラで検出することにより、モニター増設親機の終端回路の入切を自動的に行うことができる。従って、本発明のテレビインターホン装置によれば、施工時において、手動によるモニター増設親機の終端設定作業を省略することができ、また、終端設定の過誤や終端設定のし忘れも防止することができる。
【図面の簡単な説明】
【図１】本発明のテレビインターホン装置の一実施例を示すシステム構成図。
【図２】本発明のテレビインターホン装置におけるカメラ付玄関子機のブロック図。
【図３】本発明のテレビインターホン装置におけるモニター親機のブロック図。
【図４】本発明のテレビインターホン装置における第１、第２のモニター増設親機のブロック図。
【符号の説明】
１００…カメラ付玄関子機
２００…モニター親機
３００…第１のモニター増設親機
３０１…信号パス用コンデンサ（第１の増設親機信号パス用コンデンサ）
３０２…フォトカプラ（第１の増設親機フォトカプラ）
３０２ａ・・・発光部（第１の増設親機発光部）
３０２ｂ・・・受光部（第１の増設親機受光部）
３１０・・・終端回路（第１の増設親機終端回路）
４００…第２のモニター増設親機
４０１…信号パス用コンデンサ（第２の増設親機信号パス用コンデンサ）
４０２…フォトカプラ（第２の増設親機フォトカプラ）
４０２ａ・・・発光部（第２の増設親機発光部）
４０２ｂ・・・受光部（第２の増設親機受光部）
４１０・・・終端回路（第２の増設親機終端回路）
【図１】
2004120305.tif 000003
【図２】
2004120305.tif 000004
【図３】
2004120305.tif 000005
【図４】
2004120305.tif 000006